(57)【特許請求の範囲】
【請求項１】
２層の軟質合成樹脂シートの上辺、下辺および側辺の３辺が閉じられて１辺が開口する収納部を形成し、この収納部を上下に複数個並設するとともに前記開口が中央部に対して対向するように配置して複数の収納部を有する収納シートを構成し、前記収納シートの中央部と表紙カバーの背表紙部とを溶着し、前記収納シートの中央部に、前記上下に並設された収納部の中間に対応して中央切欠きを設け、前記中央切欠きは、長円形状をしており、長手方向の長さは対向する２つの収納部近傍まで達しており、径方向の高さは収納されるメモリーディスクの上下端面に至る高さに略等しく設定されることを特徴とするメモリーディスクの収納ファイル。
【請求項２】
２層の軟質合成樹脂シートに、収納部の側辺近傍より開口に向けて取出し用切欠きを形成することを特徴とする請求項１記載のメモリーディスクの収納ファイル。
【請求項３】
２層の軟質合成樹脂シートの表面シートの開口端にメモリーディスクの表面が露出する凹部を形成し、この凹部に対応して裏面シートに孔部を形成することを特徴とする請求項１または２記載のメモリーディスクの収納ファイル。
【発明の詳細な説明】
【０００１】
【発明の属する技術分野】
本発明は、ミニディスク等の比較的厚手のメモリーディスクを複数個、収納可能な収納ファイルに関する。
【０００２】
【従来の技術】
メモリーディスクの１つとして、録音可能な光磁気ディスクであるミニディスクがある。このミニディスクは、おおよそ縦６８ｍｍ、横７２ｍｍ、厚さ５ｍｍであり、厚さが比較的大きいことが特徴である。従来、このミニディスクを複数個収納するものとして、硬質のプラスチックケースや軟質合成樹脂シートを使用した収納ケースがある。
【０００３】
【発明が解決しようとする課題】
しかしながら、前者の硬質のプラスチックケースにおいては、ケース自体が嵩ばるため、携帯には向かないという問題点がある。後者の軟質合成樹脂シートを使用した収納ケースは嵩ばらないが、１枚入れの袋状収納部を複数枚重ねた態様となっているため、ケースを開き希望のディスクまで収納部をめくる必要がある。また、ミニディスクの厚さが大きいため収納、取出しの際の抵抗が大きくて収納、取出しがしにくい、という問題点がある。
【０００４】
本発明は、前記問題点を解決するためになされたものであり、ミニディスク等のメモリーディスクの収納、取出しが容易に行え、複数個のメモリーディスクを効率よく収納することができ、収納したときに収納シートが引っ張られて歪みで変形することがなく、整然と収納できる携帯にも便利なメモリーディスクの収納ファイルを提供することを目的とする。
【０００５】
【課題を解決するための手段】
前記の目的を達成するため、本発明に係るメモリーディスクの収納ファイルは、２層の軟質合成樹脂シートの上辺、下辺および側辺の３辺が閉じられて１辺が開口する収納部を形成し、この収納部を上下に複数個並設するとともに前記開口が中央部に対して対向するように配置して複数の収納部を有する収納シートを構成し、前記収納シートの中央部と表紙カバーの背表紙部とを溶着し、前記収納シートの中央部に、前記上下に並設された収納部の中間に対応して中央切欠きを設け、中央切欠きは長円形状をしており、長手方向の長さは対向する２つの収納部近傍まで達しており、径方向の高さは収納されるメモリーディスクの上下端面に至る高さに略等しく設定することを特徴とする。
【０００６】
２層の軟質合成樹脂シートに、収納部の側辺近傍より開口に向けて取出し用切欠きを形成すると好ましく、２層の軟質合成樹脂シートの表面シートの開口端にメモリーディスクの表面が露出する凹部を形成し、この凹部に対応して裏面シートに孔部を形成すると好都合である。
【０００７】
前記のように構成されたメモリーディスクの収納ファイルによれば、メモリーディスクの収納、取出しが容易に行え、メモリーディスクを複数個効率的に収納することができ、収納部に収納したとき収納シートの中央部に設けた中央切欠きにより軟質合成樹脂シートがひきつれて曲がった状態で変形することがなく、収納ファイルが変形することがなく整然と収納することができる。
【０００８】
【発明の実施の形態】
発明の実施の形態を図面を参照して説明する。図１は本発明に係るメモリーディスクの収納ファイルの一実施形態の開いた状態の正面図、図２は図１のＡ−Ａ線に沿う収納シートの拡大断面図、図３の（ａ）、（ｂ）は図１のＢ−Ｂ線、Ｃ−Ｃ線に沿う収納シートの断面図、（ｃ）は中央切欠きのない状態を示す参考断面図、図４はメモリーディスクを収納しゴムバンドをかけた状態の収納ファイルの正面図である。図１〜４において、メモリーディスク１はディスク２を矩形状ケース３に回転可能に収納したものであり、本実施形態ではミニディスク（ＭＤ）と称されるデジタル方式の録音可能な光磁気ディスクの例を示している。このミニディスクは前記したように厚さが５ｍｍ程度と比較的大きい形状をしており、録音ヘッドが挿入されるシャッタ４を備えている。
【０００９】
収納ファイル１０は収納シート１２と表紙カバー３０とから構成され、本実施形態では収納シート１２に４個のメモリーディスク１を収納可能である。収納シート１２は厚さが０．２ｍｍ程度のポリエチレン、塩化ビニル等の比較的軟質の合成樹脂シートから構成されている。軟質合成樹脂シートは外側で湾曲されて２層の表面シート１３、裏面シート１４に積層され、その上辺、下辺および側辺の３辺が閉じられて１辺が開口する収納部１５を形成してある。
【００１０】
軟質合成樹脂の表面シート１３、裏面シート１４の上辺、下辺は溶着部１６により閉じられ、側辺は軟質合成樹脂シートを湾曲させて閉じている。収納シート１２は収納部１５を上下に２個並設するとともに前記開口が中央部１７に対して対向するように配置して合計４個の収納部１５を有するように構成し、中間の溶着部１６を共用したものである。なお、２枚の合成樹脂シートを重ねて上辺、下辺、側辺の３辺を溶着して収納部を形成するようにしてもよい。
【００１１】
軟質合成樹脂の表面シート１３、裏面シート１４の上辺、下辺、側辺に沿って折曲げ線１３ａ、１４ａが形成され、図３に示されるように表面シート１３は中央部が溶着部１６に対して紙面上方に盛り上がり、裏面シート１４は中央部が溶着部１６に対して紙面下方に盛り上がっている。このため収納部１５において、表面シート１３と裏面シート１４との間にはメモリーディスク１の厚さより小さい２〜３ｍｍ程度の間隔Ｄが空いており、メモリーディスク１の収納が容易に行える。
【００１２】
表面シート１３、裏面シート１４に、収納部１５の側辺近傍より開口に向けて取出し用切欠き１８、１８を形成する。取出し用切欠き１８、１８はメモリーディスク１を収納する方向、すなわち水平方向に長い長円形状をしており、この切欠き１８から収納されているメモリーディスク１の上下面を触ることができ、切欠き１８を用いてメモリーディスク１を挟んで開口方向に移動させることによりメモリーディスク１を取出すことができる。
【００１３】
２層の軟質合成樹脂シートの表面シート１３の開口端面にはメモリーディスク１の表面が露出する半円状の凹部１９を形成し、この凹部１９に対応して裏面シート１４には円形状の孔部２０を形成する。前記した凹部１９と孔部２０とによりメモリーディスク１の開口に近接する上下面を指で挟むことができ、指で挟んだ状態でメモリーディスク１を容易に引き出すことができる。収納シート１２の左右端部の上下および中央には面取り部２１が形成され、この面取り部では溶着部が分断されており収納部１５は外部と連通している。
【００１４】
収納シート１２の中央部１７に、上下に並設された収納部１５の中間に対応して中央切欠き２２を設けてある。この中央切欠き２２は長円形状をしており、長手方向の長さＬは対向する収納部１５の開口近傍まで達しており、径方向の高さＨは収納されるメモリーディスク１の上下端面、すなわち上部に位置するメモリーディスク１の下端面から、下部に位置するメモリーディスク１の上端面に至る高さｈに略等しく設定されている。
【００１５】
収納シート１２の中央部１７の上下に、上切欠き２３および下切欠き２４が形成されている。上切欠き２３および下切欠き２４は、中央切欠き２２を半分にしたような形状をしており、半長円形をしている。上切欠き２３、下切欠き２４および中央切欠き２２は、メモリーディスク１を取り出すときに指を対応させて、メモリーディスク１の上下の角部を挟みやすくするものである。上切欠き２３と中央切欠き２２との間隔、および下切欠き２４と中央切欠き２２との間隔はメモリーディスク１の高さと同等またはやや小さく設定されている。
【００１６】
表紙カバー３０はセルフヒンジ機能を有するポリプロピレン等の合成樹脂シートから構成され、厚さが０．５ｍｍ程度の比較的剛性のあるシートが使用されている。表紙カバー３０は表カバー３１と裏カバー３２と、両者を連結する背表紙部３３とから構成され、背表紙部３３に対して表カバー３１と裏カバー３２とがセルフヒンジ部を介して揺動可能となっている。
【００１７】
表裏カバー３１、３２の開放端部の上下端面には、係合凹部３４が４個所に形成され、裏カバー３２の係合凹部３４の内方の２個所に止着された鳩目３５、３５によりゴムバンド３６の両端が係止されている。このゴムバンド３６は裏カバー３２の外面から表カバー３１の外面の係合凹部３４に係合させて巻回することにより、表裏のカバー３１、３２が開放するのを防止するものであり、係合凹部３４により平面的にずれるのを防止している。収納シート１２の中央部１７と表紙カバー３０の背表紙部３３とを溶着部３７により溶着してある。
【００１８】
本発明に係るメモリーディスクの収納ファイルは前記した構成であり、以下に動作について説明する。収納ファイル１０にメモリーディスク１を収納するときは、軟質合成樹脂シートである表面シート１３と裏面シート１４との間の開口には間隔Ｄが空いており、この間隔Ｄにメモリーディスク１を挿入して押し込む。メモリーディスク１をさらに側辺に到達するまで押し込むことにより収納が完了する。収納部１５の角には面取り部２１が形成され、メモリーディスク１が押し込まれたとき内部の空気が外部に出るため、メモリーディスク１を抵抗なく押し込むことができる。このようにして、複数個のメモリーディスク１を極めて容易にしかも確実に収納することができる。
【００１９】
メモリーディスク１が収納された状態では、上下のメモリーディスク１、１の間に中央切欠き２２があり、その長さＬは対向する収納部１５の開口近傍まで達しており、径方向の高さＨは収納されるメモリーディスク１の上下端面に至る高さに略等しく設定されているため、軟質合成樹脂の表面シート１３および裏面シート１４が引っ張られることがなく図３（ｂ）のように幅Ｗ１となり、図３（ｃ）のように収納シート１２が湾曲して幅Ｗ２のように大きくなることがない。従って、収納ファイル１０の厚さが増すことなく、整然と収納することができる。
【００２０】
メモリーディスク１を収納ファイル１０から取出すときは、取出し用切欠き１８、１８に親指と人差し指を当ててメモリーディスク１を挟み、そのままメモリーディスク１を開口方向に移動させる。このようにしてメモリーディスク１を極めて容易に取出すことができる。また、収納部１５の開口端の凹部１９と孔部２０とを利用してメモリーディスク１を取出すこともできる。すなわち、凹部１９に親指を対応させ、孔部２０に人差し指を対応させてメモリーディスク１を挟み、そのまま収納シート１２の中央部１７に向けて移動させることによりメモリーディスク１を容易に取出すこともできる。
【００２１】
また、他の取り出し状態を示す要部正面図である図５に示されるように、取出し用切欠き１８、１８を用いてメモリーディスク１の先端を突出させ、親指を中央切欠き２２に対応させ、人差し指を上切欠き２３に対応させてメモリーディスク１の上下角部を挟み、メモリーディスク１を引き出すようにしても容易に取り出すことができる。
【００２２】
なお、前記した実施形態ではメモリーディスクとして音楽用のミニディスクの例を示したが、コンピュータメモリーとして用いられるＭＯやＰＤと称されるメモリーディスク等に適用できることは勿論である。また、中央切欠きは長円形状の例を示したが、楕円形状のものや、左右２つの円形状のもの等、適宜変更することができる。さらに、前記した実施形態では収納部を４個設けた例を示したが、収納部を６個設けるようにして、上下に並設された３個の収納部の中間の２個所に対応して中央切欠きを設けるようにしてもよい。
【００２３】
【発明の効果】
以上説明したように、本発明によれば、メモリーディスクの収納、取出しが容易に行え、複数個のメモリーディスクを効率よく収納でき、メモリーディスクが収納されたとき、その厚さにより収納シートが引っ張られて変形することがなく、整然とメモリーディスクを収納することができるという効果を奏する。
【図面の簡単な説明】
【図１】本発明に係るメモリーディスクの収納ファイルの一実施形態の開いた状態の正面図である。
【図２】図１のＡ−Ａ線に沿う収納シートの拡大断面図である。
【図３】（ａ）、（ｂ）は図１のＢ−Ｂ線、Ｃ−Ｃ線に沿う収納シートの断面図、（ｃ）は中央切欠きのない状態を示す参考断面図である。
【図４】メモリーディスクを収納しゴムバンドをかけた状態の正面図である。
【図５】他の取り出し状態を示す要部正面図である。
【符号の説明】
１  メモリーディスク
１０  収納ファイル
１２  収納シート
１３  軟質合成樹脂シート（表面シート）
１４  軟質合成樹脂シート（裏面シート）
１３ａ、１４ａ  折曲げ線
１５  収納部
１６  溶着部
１７  中央部
１８  取出し用切欠き
１９  凹部
２０  孔部
２１  面取り部
２２  中央切欠き
２３  上切欠き
２４  下切欠き
３０  表紙カバー
３１  表カバー
３２  裏カバー
３３  背表紙部
３４  係合凹部
３５  鳩目
３６  ゴムバンド
【図１】
0004041595.tif 000002
【図２】
0004041595.tif 000003
【図３】
0004041595.tif 000004
【図４】
0004041595.tif 000005
【図５】
0004041595.tif 000006